(57)【要約】【課題】受水槽内で主弁からの給水により生じる波動により、副弁の開閉機構に発生する摩擦や疲労破壊を防止し、確実に止水させるボールタップを提供する。【解決手段】ボールタップ１は、開閉弁を有する副弁２と、副弁２に取り付けられて開閉弁を動作させるアーム３と、アーム３の先端に設けられた連結部４と、連結部４に接続する２本の接続棒５ａ，５ｂと、各接続棒５ａ，５ｂの先端に設けられる複数のフロート６ａ，６ｂを備え、連結部４は主弁から受水槽に給水されることで生じた波動による複数のフロート６ａ，６ｂのそれぞれの上下動を平均化するリング１４を備え、平均化した上下動をアーム３に伝達する。【選択図】図１
2009281456.tif 000002
【特許請求の範囲】
【請求項１】
受水槽に設けられた副弁と、副弁に取り付けられたアームと、アームの先端に取り付けられたフロートとから構成され、フロートの浮力によりアームを介して副弁を開閉させ、副弁の開閉により主弁を動作させ、受水槽に給水して水面制御するボールタップにおいて、
開閉弁を有する副弁と、
副弁に取り付けられて開閉弁を動作させるアームと、
アームの先端に設けられた連結部と、
連結部に接続する複数の接続棒と、
各接続棒の先端に設けられる複数のフロートを備え、
連結部は、主弁から受水槽に給水されることで生じた波動による複数のフロートのそれぞれの上下動を平均化する回転機構を備え、平均化された上下動をアームに伝達することを特徴とするボールタップ。
【請求項２】
請求項１に記載のボールタップであって、連結部は、アームの軸回りに回転自在なリングを有し、先端にそれぞれフロートが接続された２本の接続棒がリングに固定されることを特徴とするボールタップ。
【請求項３】
請求項１に記載のボールタップであって、連結部は、アームの軸回りに回転自在な２個の独立したリングを有し、各リングには、先端にフロートが接続された接続棒と、その接続棒に対してリングの反対側に延びる調整棒とが固定され、２本の調整棒の先端同士はバネ材により連結されることを特徴とするボールタップ。
【請求項４】
請求項１に記載のボールタップであって、連結部は、球状のボールジョイント部を有し、少なくとも３本の接続棒がボールジョイント部に接続されることを特徴とするボールタップ。
【請求項５】
請求項４に記載のボールタップであって、ボールジョイント部は、球体のノードと、ノードを部分的に包み込み、ノードに対して回転自在なシェルと、を備え、３本の接続棒はシェルの異なる位置に接続されることを特徴とするボールタップ。
【請求項６】
受水槽に設けられた副弁と、副弁に取り付けられたアームと、アームの先端に取り付けられたフロートとから構成され、フロートの浮力によりアームを介して副弁を開閉させ、副弁の開閉により主弁を動作させ、受水槽に給水して水面制御するボールタップにおいて、
開閉弁を有する副弁と、
副弁に取り付けられて開閉弁を動作させるアームと、
アームの先端に設けられた連結部と、
連結部に接続される網状のカゴと、
網状のカゴの内部に設けられて浮遊するフロートと、を備え、
主弁から受水槽に給水されることで生じた波動によるフロートの上下動は網状のカゴ
を介して連結部に伝達されることを特徴とするボールタップ。
【請求項７】
請求項６に記載のボールタップであって、網状のカゴは、上部に板状部を有し、フロートと板状部とはバネ材で連結されることを特徴とするボールタップ。
【請求項８】
請求項６に記載のボールタップであって、網状のカゴは、上部板状部及び下部板状部を有し、フロートと各板状部とはバネ材で連結されていることを特徴とするボールタップ。
【請求項９】
受水槽に設けられた副弁と、副弁に取り付けられたアームと、アームの先端に取り付けられたフロートとから構成され、フロートの浮力によりアームを介して副弁を開閉させ、副弁の開閉により主弁を動作させ、受水槽に給水して水面制御するボールタップにおいて、
開閉弁を有する副弁と、
副弁に取り付けられて開閉弁を動作させるアームと、
アームの先端に設けられた連結部と、
連結部に接続される接続棒と、
接続棒に接続するフロートと、
主弁から受水槽に給水されることで生じた波動によるフロートの上下動を復元力により緩和させるバネ材と、
を備えることを特徴とするボールタップ。
【請求項１０】
請求項９に記載のボールタップであって、バネ材は、接続棒に代替して連結部とフロートとを接続することを特徴とするボールタップ。
【請求項１１】
請求項９に記載のボールタップであって、連結部は、アームに取り付いて略鉛直方向に貫通して明けられた孔部を有する平板部を備え、接続棒は、平板部の孔部に挿入されてその上部にナットが係合され、バネ材は、接続棒を巻きつけて平板部とフロートとの間に挿入されることを特徴とするボールタップ。
【請求項１２】
請求項９に記載のボールタップであって、連結部は、接続棒が取り付く回転自在なピン機構を備え、接続棒の中間部とアームの中間部とはバネ材により連結されることを特徴とするボールタップ。
【請求項１３】
請求項９に記載のボールタップであって、連結部は、並列する回転自在な２つのピン機構を備え、第１のピン機構には接続棒と、接続棒に対してピン機構と反対側に延びる第１の調整棒とが固定され、第２のピン機構には、アームに対してリングと反対側に伸びる第２の調整棒とが固定され、第１の調整棒と第２の調整棒との先端同士はバネ材により連結されることを特徴とするボールタップ。
【発明の詳細な説明】
【技術分野】
【０００１】
本発明は、ボールタップに係り、特に、受水槽に設けられた副弁と、副弁に取り付けられたアームと、アームの先端に取り付けられたフロートとから構成され、フロートの浮力によりアームを介して副弁を開閉させ、副弁の開閉により主弁を動作させ、受水槽に給水して水面制御するボールタップに関する。
【背景技術】
【０００２】
受水槽は常に所定の範囲内に水を貯水しなければならない。このため、受水槽には、フロート弁と称されるボールタップが設けられて水面制御が行われる。ここで受水槽には、受水槽に限らず高架水槽（或いは高置水槽）も含まれ、さらにトイレの便器洗浄用のロータンク又はハイタンクも含まれる。
【０００３】
図１４に、従来のボールタップの１つの実施例を示す。また、図１５に、従来のボールタップの副弁における開閉機構を示す。ボールタップ４１は、副弁４２、副弁４２に取り付けられたアーム４３、及びアーム４３の先端に設けられたフロート（浮子）４６から構成される。水道引込み管（水道本管）４９から供給された水は、主弁（定水位弁）４７から受水槽３０に流入される。フロート４６は、浮力により水面の高低の変化に応じて上下動し、その動作がアーム４３に伝達されてレバー５０を動作させる。そして、レバー５０に連結された副弁４２内の開閉弁４８の開度が変化する。すなわち、フロート４６が所定の最低水面位置より低い場合には、開閉弁４８は全開する。フロート４６が所定の最低水面位置より高くなるにつれて開閉弁４８の開度が減少し、所定の最高水面位置に達すると開閉弁４８が完全に閉じる。
【０００４】
受水槽３０への給水は副弁４２においても行われるが、主として主弁４７において行われて水面制御される。すなわち、副弁４２の開閉弁４８の動作が信号として主弁４７に伝達され、主弁４７の開閉弁（図示せず）が連動し、受水槽３０への給水が行われる。副弁４２の開閉弁４８が全開すると、主弁４７から最高の流量が受水槽３０へ給水される。また、副弁４２の開閉弁４８が全閉すると、主弁４７から受水槽３０への給水が停止される。
【０００５】
この主弁４７から受水槽３０への給水が行われると、受水槽３０の水面は波立って波動１０が生じる。この波動１０はさらに受水槽３０の壁面に衝突して反射し、水面には複雑な波が生じる。その水面の波動１０を受けたフロート４６は複雑な上下動をする。
【０００６】
一方、特許文献１には、ボールタップを具備する受水槽構造が開示されている。ここでは、受水槽の内壁に一対の防波板を対向状態に一体成形し、両防波板の先端間に浮玉を支持するロッドを昇降可能とし、防波板の防波効果を確保したまま、防波板と浮玉との干渉を防止する構造が記載されている。
【０００７】
【特許文献１】実開平５−３４３７５号公報
【発明の開示】
【発明が解決しようとする課題】
【０００８】
主弁から受水槽への給水により発生した波動の影響によりフロートは上下動をするが、副弁の開閉機構がフロートの上下動により磨耗や疲労破壊を発生する虞がある。また、この波動により水面が急激に上下動し、副弁の開閉機構が衝撃を受けてフロートによる止水が確実に行われないという問題がある。
【０００９】
本願の目的は、かかる課題を解決し、受水槽内で主弁からの給水により生じる波動により、副弁の開閉機構に発生する摩擦や疲労破壊を防止し、確実に止水させるボールタップを提供することである。
【課題を解決するための手段】
【００１０】
上記目的を達成するため、本発明に係るボールタップは、受水槽に設けられた副弁と、副弁に取り付けられたアームと、アームの先端に取り付けられたフロートとから構成され、フロートの浮力によりアームを介して副弁を開閉させ、副弁の開閉により主弁を動作させ、受水槽に給水して水面制御するボールタップにおいて、開閉弁を有する副弁と、副弁に取り付けられて開閉弁を動作させるアームと、アームの先端に設けられた連結部と、連結部に接続する複数の接続棒と、各接続棒の先端に設けられる複数のフロートを備え、連結部は、主弁から受水槽に給水されることで生じた波動による複数のフロートのそれぞれの上下動を平均化する回転機構を備え、平均化された上下動をアームに伝達することを特徴とする。
【００１１】
これにより、複数のフロートは、それぞれ異なる位置で水面の波動を受け、確率的に異なる高さ位置となる場合が多いことから、連結部は水面の波動による平均化された上下動をアームに伝達できる。
【００１２】
また、ボールタップは、連結部が、アームの軸回りに回転自在なリングを有し、先端にそれぞれフロートが接続された２本の接続棒がリングに固定されることが好ましい。これにより、連結部は２個のフロートの上下動が平均化された上下動をアームに伝達できる。
【００１３】
また、ボールタップは、連結部が、アームの軸回りに回転自在な２個の独立したリングを有し、各リングには、先端にフロートが接続された接続棒と、その接続棒に対してリングの反対側に延びる調整棒とが固定され、２本の調整棒の先端同士はバネ材により連結されることが好ましい。これにより、フロートの上下動が緩衝材であるバネ材の復元力により緩和されて連結部に伝達される。
【００１４】
また、ボールタップは、連結部が、球状のボールジョイント部を有し、少なくとも３本の接続棒がボールジョイント部に接続されることが好ましい。そして、ボールジョイント部が、球体のノードと、ノードを部分的に包み込み、ノードに対して回転自在なシェルと、を備え、３本の接続棒はシェルの異なる位置に接続されることが好ましい。これにより、連結部は３個のフロートの上下動が平均化された上下動をアームに伝達できる。
【００１５】
また、本発明に係るボールタップは、受水槽に設けられた副弁と、副弁に取り付けられたアームと、アームの先端に取り付けられたフロートとから構成され、フロートの浮力によりアームを介して副弁を開閉させ、副弁の開閉により主弁を動作させ、受水槽に給水して水面制御するボールタップにおいて、開閉弁を有する副弁と、副弁に取り付けられて開閉弁を動作させるアームと、アームの先端に設けられた連結部と、連結部に接続される網状のカゴと、網状のカゴの内部に設けられて浮遊するフロートと、を備え、主弁から受水槽に給水されることで生じた波動によるフロートの上下動は網状のカゴを介して連結部に伝達されることを特徴とする。
【００１６】
これにより、水面の波動はフロートに達する前に網に衝突してそのエネルギが減退される。さらに、連結部には、網による緩衝効果によりフロートの上下動が緩和されて伝達される。
【００１７】
また、ボールタップは、網状のカゴが、上部に板状部を有し、フロートと板状部とはバネ材で連結されることが好ましい。また、ボールタップは、網状のカゴが、上部板状部及び下部板状部を有し、フロートと各板状部とはバネ材で連結されていることが好ましい。これにより、フロートの上下動がバネ材の圧縮力及び引張力に対する復元力により緩和されて伝達される。
【００１８】
また、本発明に係るボールタップは、受水槽に設けられた副弁と、副弁に取り付けられたアームと、アームの先端に取り付けられたフロートとから構成され、フロートの浮力によりアームを介して副弁を開閉させ、副弁の開閉により主弁を動作させ、受水槽に給水して水面制御するボールタップにおいて、開閉弁を有する副弁と、副弁に取り付けられて開閉弁を動作させるアームと、アームの先端に設けられた連結部と、連結部に接続される接続棒と、接続棒に接続するフロートと、主弁から受水槽に給水されることで生じた波動によるフロートの上下動を復元力により緩和させるバネ材と、を備えることを特徴とする。
【００１９】
また、ボールタップは、バネ材が、接続棒に代替して連結部とフロートとを接続することが好ましい。これにより、フロートの上下動がバネ材の軸と直交する方向の復元力により緩和されて連結部に伝達される。
【００２０】
さらに、ボールタップは、連結部が、アームに取り付いて略鉛直方向に貫通して明けられた孔部を有する平板部を備え、接続棒は、平板部の孔部に挿入されてその上部にナットが係合され、バネ材は、接続棒を巻きつけて平板部とフロートとの間に挿入されることが好ましい。これにより、フロートの上下動が圧縮力を受けたバネ材の復元力により緩和されて伝達される。
【００２１】
さらに、ボールタップは、連結部が、並列する回転自在な２つのピン機構を備え、第１のピン機構には接続棒と、接続棒に対してピン機構と反対側に延びる第１の調整棒とが固定され、第２のピン機構には、アームに対してリングと反対側に伸びる第２の調整棒とが固定され、第１の調整棒と第２の調整棒との先端同士はバネ材により連結されることが好ましい。これにより、フロートの上下動が引張力を受けたバネ材の復元力により緩和されて伝達される。
【発明の効果】
【００２２】
以上のように、本発明に係るボールタップによれば、受水槽内で主弁からの給水により生じる波動により、副弁の開閉機構に発生する摩擦や疲労破壊を防止し、確実に止水させることが可能となる。
【発明を実施するための最良の形態】
【００２３】
以下に、図面を用いて本発明に係るボールタップの実施の形態につき、詳細に説明する。
【００２４】
図１に、ボールタップの第１の実施形態の概略構成を示す。本ボールタップ１は、副弁２、アーム３、連結部４、接続棒５ａ，５ｂ、及びフロート６ａ，６ｂから構成される。アーム３に取り付く連結部４は、アーム３が貫通する環状のリング１４、及びその両側からリング１４を挟み込み、アーム３に設けられたネジと係合するナット１３ａ，１３ｂから構成される。このリング１４はアーム３の軸回りに自在に回転する。２本の接続棒５ａ，５ｂの一端はそれぞれリング１４の異なる位置に固定される。２本の接続棒５ａ，５ｂの他端にはフロート６ａ，６ｂがそれぞれ接続される。本実施形態では、２本の接続棒５ａ，５ｂ及びフロート６ａ，６ｂは、アーム３に対して軸対象に設置される。
【００２５】
図２に、図１のＡ−Ａ方向からみた側面を示す。接続棒５ａ及び接続棒５ｂは、連結部４を頂点とする二等辺三角形の２つの辺となるように構成される。ここで、頂点での２つの接続棒５ａ，５ｂがなす角度をθとする。図２における破線は、水面が平坦な場合のフロート６ａ，６ｂの位置を示す。図２における実線は、水面が波立ち、フロート６ａは元の位置に留まるが、フロート６ｂは、距離δだけ上昇した場合を示す。２つの接続棒５ａ，５ｂがなす角度θは固定され、リング１４はアーム３の軸回りに回転自在であることから、連結部４は、[接続棒５ａの上下動（＝０）＋接続棒５ｂの上下動（＝δ）]／２だけ上下動する。すなわち、図２の場合には、δ／２だけ上昇する。このように、ボールタップ１の第１実施形態では、受水槽３０内での連結部４の上下動はフロート６ａ，６ｂの上下動が平均化された値となる。
【００２６】
従って、フロート６ａ，６ｂが同じ高さの波動によりその上下動の値が揃わない限り、単一のフロート６の場合と比較してその上下動を軽減できる。２個のフロート６ａ，６ｂは、それぞれ異なる位置で波動を受けることから、確率的に同じ高さ位置となる場合は稀であり、水面の波動による上下動を平均化させて減少させ得る。また、アーム３からそれぞれのフロート６ａ，６ｂまでの距離（Ｌ）を水面の波動周期に合わせて同じ波動を受けないように調節することで、上記効果を発揮させることができる。
【００２７】
図３に、ボールタップ１の第２の実施形態の概略構成を示す。また、図４（ａ）に図３をＢ−Ｂ方向からみた側面を示し、図４(ｂ)に図３をＣ−Ｃ方向からみた側面を示す。本ボールタップ１は、副弁２、アーム３、連結部４、接続棒５ａ，５ｂ、バネ１１、及びフロート６ａ，６ｂから構成される。アーム３に取り付く連結部４は、アーム３が貫通する２つの環状のリング１４ａ及び１４ｂ、及びその両側からリング１４ａ及び１４ｂを挟み込み、アーム３に設けられたネジと係合するナット１３ａ，１３ｂから構成される。リング１４ａ及び１４ｂはアーム３の軸回りに自在に回転する。接続棒５ａの一端はリング１４ａに固定され、他端にはフロート６ａが接続される。接続棒５ｂの一端はリング１４ｂに固定される。他端にはフロート６ｂが接続される。また、接続棒５ａに対してリング１４ａと反対側に延びる調整棒１２ａがリング１４ａに固定され、接続棒５ｂに対してリング１４ｂと反対側に延びる調整棒１２ｂがリング１４ｂに固定される。そして、２本の調整棒１２ａ，１２ｂの先端同士はバネ１１により連結される。本実施形態では、２本の接続棒５ａ，５ｂ、調整棒１２ａ，１２ｂ、フロート６ａ，６ｂ、及びバネ１１は、アーム３に対して軸対象に設置される。
【００２８】
この第２実施形態では、上述した第１実施形態と同様な効果が生じるとともに、水面の波動によるフロート６ａ，６ｂの上下動が、緩衝材であるバネの復元力により緩和されて連結部４に伝達される。また、受水槽３０内での水面の波動による衝撃力に対しては瞬時に緩和させる効果がある。
【００２９】
図５に、ボールタップ１の第３の実施形態の概略構成を示す。また、図６に、連結部４のボールジョイント部を示す拡大図を示す。本ボールタップ１は、副弁２、アーム３、ボールジョイント部１５を備える連結部４、３本の接続棒５ａ，５ｂ，５ｃ、及び３個のフロート６ａ，６ｂ，６ｃから構成される。図６に示すように、ボールジョイント部１５は、球体のノード１７、ノード１７を部分的に包み込むシェル１６、及び球面ナット１８から構成される。球面ナット１８はアーム３の先端部に設けられたアーム先端ネジ１９と係合しアーム３にノード１７を固定する。アーム３の先端はノード１７に設けられた孔部２０に差し込まれる。但し、アーム３の先端をノード１７に直接固定して球面ナット１８を省略しても良い。３本の接続棒５ａ，５ｂ，５ｃの一端はそれぞれシェル１６の異なる位置に固定される。また、３本の接続棒５ａ，５ｂ，５ｃの他端にはフロート６ａ，６ｂ，６ｃがそれぞれ接続される。本実施形態では、３本の接続棒５ａ，５ｂ，５ｃ及びフロート６ａ，６ｂ，６ｃは、アーム３に対して軸対象に設置される。
【００３０】
シェル１６は、ノード１７に対して３次元的に自在に回転する。これにより、アーム３に伝達される上下動は、第１実施形態と同様な原理により３個のフロート６ａ，６ｂ，６ｃの上下動が平均化されたものとなり、水面の複雑な波動に対して効果を発揮できる。
【００３１】
図７に、ボールタップ１の第４の実施形態の概略構成を示す。本ボールタップ１は、副弁２、アーム３、連結部４、網状カゴ２１、及びフロート６から構成される。本実施形態では副弁２は図７から省略する。網状カゴ２１は連結部４に接続され、網状カゴ２１の中にフロート６が浮遊する。この場合、受水槽３０内での水面の波動は、フロート６に達する前に網状カゴ２１の網に衝突してその波動エネルギが減退されてフロート６に衝突する。さらに、連結部４には、網状カゴ２１の柔らかに変形可能な網による緩衝効果により、フロート６の上下動が緩和されて伝達される。
【００３２】
図８に、ボールタップ１の第５の実施形態の概略構成を示す。本ボールタップ１は、副弁２、アーム３、連結部４、網状カゴ２１、平板２２、バネ１１及びフロート６から構成される。本実施形態では副弁２は図８から省略する。網状カゴ２１は平板２２を介して連結部４に接続される。平板２２は略水平の状態に保持される。網状カゴ２１内のフロート６は、平板２２とバネ１１により連結される。この場合、受水槽３０内での水面の波動はフロート６に達する前に網状カゴ２１の網に衝突してその波動エネルギが減退される。さらに、連結部４には、緩衝材としてのバネ１１の復元力により、フロート６の上下動が緩和されて伝達される。また、このバネ１１により波動の衝撃力に対して瞬時に緩和できるという効果が生じる。
【００３３】
図９に、ボールタップ１の第６の実施形態の概略構成を示す。本ボールタップ１は、副弁２、アーム３、連結部４、網状カゴ２１、上部平板２３、下部平板２４、上部バネ２５、下部バネ２６及びフロート６から構成される。本実施形態では副弁２は図９から省略する。網状カゴ２１は上部平板２３又は下部平板２４を介して連結部４に接続される。上部平板２３及び下部平板２４は略水平の状態に保持される。網状カゴ２１内のフロート６は、上部平板２３と上部バネ２５により連結され、下部平板２４と下部バネ２６により連結される。例えば、受水槽３０内での水面の波動によりフロート６が上昇する場合には、上部バネ２５には圧縮による復元力が発生し、下部バネ２６には引張による復元力が生じる。一方、水面の波動によりフロート６が下降する場合には、その逆の復元力が発生する。
【００３４】
この実施形態では、水面の波動は、フロート６に達する前に網状カゴ２１の網に衝突してその波動エネルギが減退する。さらに、連結部４には、緩衝材としてのバネ２５，２６の一対の復元力により、フロート６の上下動が緩和されて伝達される。また、この上部バネ２５及び下部バネ２６により水面の波動の衝撃力に対して瞬時に緩和できるという効果が生じる。
【００３５】
図１０に、ボールタップ１の第７の実施形態の概略構成を示す。本ボールタップ１は、副弁２、アーム３、連結部４、バネ１１、及びフロート６から構成される。本実施形態では副弁２は図１０から省略する。バネ１１は、連結部４とフロート６との間に挿入される。これにより、受水槽３０内でのフロート６の上下動がバネ１１の軸と直交する方向の復元力により緩和されて連結部４に伝達される。すなわち、フロート６の上下動をバネ１１が復元力により緩和させる。
【００３６】
図１１に、ボールタップ１の第８の実施形態の概略構成を示す。図１１（ａ）は水面が平坦な場合の位置関係を示し、図１１（ｂ）は波立った場合の位置関係を示す。ボールタップ１は、副弁２、アーム３、連結部４、板状部２７、バネ１１、及びフロート６から構成される。本実施形態では副弁２は図１１から省略する。連結部４は、アーム３に取り付き、略鉛直方向に貫通して明けられた孔部２９を有する板状部２７を備える。この板状部２７は、アーム３に設けられたピン３２によりアーム３と接続され、略水平方向に保持される。接続棒５は、孔部２９に挿入され、その上部に止めナット２８が設けられる。この止めナット２８は、図１１（ａ）のように水面が平坦な状態のときに板状部２７と接触する位置で接続棒５に固定される。バネ１１は、接続棒５を巻きつけて板状部２７とフロート６との間に挿入される。図１１（ｂ）のように水面が波立った際には、フローと６の上昇に伴い接続棒５が孔部２９を上昇してバネ１１を圧縮する。このとき、止めナット２８は板状部２７から離間する。受水槽３０内でこのバネ１１が圧縮されることでフロート６に対して復元力が発生し、連結部４の上下動を緩和させる。
【００３７】
図１２に、ボールタップ１の第９の実施形態の概略構成を示す。本ボールタップ１は、副弁２、アーム３、連結部４、接続部５、バネ１１、及びフロート６から構成される。本実施形態では副弁２は図１２から省略する。連結部４は、接続棒５が取り付く回転自在なピン３１を備え、接続棒５の中間部とアーム３の中間部とはバネ１１により連結される。これにより、受水槽３０内でのフロート６の上下動が圧縮力を受けたバネ１１の復元力により緩和されて伝達される。
【００３８】
図１３に、ボールタップ１の第１０の実施形態の概略構成を示す。本ボールタップ１は、副弁２、アーム３、連結部４、接続部５、バネ１１、及びフロート６から構成される。本実施形態では副弁２は図１３から省略する。連結部４は、回転自在な２つのピン３１ａ，３１ｂを備える。そして、第１ピン３１ａには接続棒５と、接続棒５に対してピン３１ａと反対側に延びる第１調整棒１２ａとが固定される。また、第２ピン３１ｂには、ピン３１ｂを介してアーム３と反対側に伸びる第２調整棒１２ｂとが固定される。そして、この第１調整棒１２ａと第２調整棒１２ｂとの先端同士はバネ１１により連結される。つまり、第１調整棒１２ａと第２調整棒１２ｂとは、それぞれ独立なピン３１ａ，３１ｂにより独立して回転する。これにより、受水槽３０内でのフロート６の上下動が引張力を受けたバネ１１の復元力により緩和されて伝達される。
【図面の簡単な説明】
【００３９】
【図１】本発明に係るボールタップの第１実施形態の概略構成を示す斜視図である。
【図２】第１実施形態を図１のＡ−Ａ方向から見て連結部の上下動を説明した側面図である。
【図３】本発明に係るボールタップの第２実施形態の概略構成を示す斜視図である。
【図４】第２実施形態を図３のＢ−Ｂ及びＣ−Ｃ方向からみた側面図である。
【図５】本発明に係るボールタップの第３実施形態の概略構成を示す斜視図である。
【図６】第３実施形態のボールジョイント部を示す拡大した断面図である。
【図７】本発明に係るボールタップの第４実施形態の概略構成を示す側面図である。
【図８】本発明に係るボールタップの第５実施形態の概略構成を示す側面図である。
【図９】本発明に係るボールタップの第６実施形態の概略構成を示す側面図である。
【図１０】本発明に係るボールタップの第７実施形態の概略構成を示す側面図である。
【図１１】本発明に係るボールタップの第８実施形態の概略構成を示す断面図である。
【図１２】本発明に係るボールタップの第９実施形態の概略構成を示す側面図である。
【図１３】本発明に係るボールタップの第１０実施形態の概略構成を示す側面図である。
【図１４】従来のボールタップの１つの実施例を示す側面図である。
【図１５】従来のボールタップの副弁における開閉機構を示す断面図である。
【符号の説明】
【００４０】
１，４１  ボールタップ、２，４２  副弁、３，４３  アーム、４  連結部、５  接続棒、６，４６  フロート、１０  波動、１１  バネ、１２  調整棒、１３  ナット、１４  リング、１５  ボールジョイント部、１６  シェル、１７  ノード、１８  球面ナット、１９  アーム先端ネジ、２０，２９  孔部、２１  網状カゴ、２２  平板、２３  上部平板、２４  下部平板、２５  上部バネ、２６  下部バネ、２７  板状部、２８  止めナット、３０  受水槽、３１，３２  ピン、４７  主弁（定水位弁）、４８  開閉弁、４９  水道引込み管（水道本管）、５０  レバー。
【図１】
2009281456.tif 000003
【図２】
2009281456.tif 000004
【図３】
2009281456.tif 000005
【図４】
2009281456.tif 000006
【図５】
2009281456.tif 000007
【図６】
2009281456.tif 000008
【図７】
2009281456.tif 000009
【図８】
2009281456.tif 000010
【図９】
2009281456.tif 000011
【図１０】
2009281456.tif 000012
【図１１】
2009281456.tif 000013
【図１２】
2009281456.tif 000014
【図１３】
2009281456.tif 000015
【図１４】
2009281456.tif 000016
【図１５】
2009281456.tif 000017